(57)【要約】【課題】投影画像を良好に視認させることができるプロジェクションシステムを提供する。【解決手段】プロジェクションシステム１は、第１プロジェクターと、第２プロジェクターと、スクリーンＳｃと、第１円偏光変換部２５Ｒ及び第２円偏光変換部を有する偏光変換装置２５と、第１画像透過部及び第２画像透過部３１Ｌを有する画像選択装置３とを備える。第２画像透過部３１Ｌを構成する第２偏光板３３Ｌは、第１プロジェクターから投射された第１直線偏光の偏光方向に対して、透過軸ＴＬＧが直交するように配設されている。【選択図】図５
2013122476.tif 000002
【特許請求の範囲】
【請求項１】
第１画像を直線偏光で投射する第１プロジェクターと、
第２画像を直線偏光で投射する第２プロジェクターと、
前記第１画像及び前記第２画像が投影されるスクリーンと、
前記第１プロジェクターから投射された直線偏光を円偏光に変換して前記スクリーンに出射する第１円偏光変換部、及び前記第２プロジェクターから投射された直線偏光を円偏光に変換して前記スクリーンに出射する第２円偏光変換部を有する偏光変換装置と
前記第１プロジェクターから投射され前記スクリーンを介した前記第１画像を透過させる第１画像透過部、及び前記第２プロジェクターから投射され前記スクリーンを介した前記第２画像を透過させる第２画像透過部を有する画像選択装置とを備え、
前記第１画像透過部は、
円偏光を直線偏光に変換する第１直線偏光変換部と、第１偏光板とを備え、
前記第２画像透過部は、
円偏光を直線偏光に変換する第２直線偏光変換部と、第２偏光板とを備え、
前記第１偏光板は、
前記第２プロジェクターから投射された直線偏光の偏光方向に対して、透過軸が直交するように配設され、
前記第２偏光板は、
前記第１プロジェクターから投射された直線偏光の偏光方向に対して、透過軸が直交するように配設されている
ことを特徴とするプロジェクションシステム。
【請求項２】
請求項１に記載のプロジェクションシステムにおいて、
前記第１偏光板は、
前記第１プロジェクターから投射された直線偏光の偏光方向に対して、透過軸が直交するように配設され、
前記第２偏光板は、
前記第２プロジェクターから投射された直線偏光の偏光方向に対して、透過軸が直交するように配設されている
ことを特徴とするプロジェクションシステム。
【請求項３】
請求項１に記載のプロジェクションシステムにおいて、
前記第１偏光板は、
前記第１プロジェクターから投射された直線偏光の偏光方向に対して、透過軸が平行となるように配設され、
前記第２偏光板は、
前記第２プロジェクターから投射された直線偏光の偏光方向に対して、透過軸が平行となるように配設されている
ことを特徴とするプロジェクションシステム。
【請求項４】
請求項１から請求項３のいずれかに記載のプロジェクションシステムにおいて、
前記第１円偏光変換部は、
前記第１プロジェクター側に配設される１／２波長板と、前記スクリーン側に配設される１／４波長板とを備え、
前記第１円偏光変換部を構成する１／２波長板は、
前記第１プロジェクターから投射された直線偏光の偏光方向に対して、遅相軸が７５度または１６５度を成すように配設され、
前記第１円偏光変換部を構成する１／４波長板は、
前記第１プロジェクターから投射された直線偏光の偏光方向に対して、遅相軸が１５度または１０５度を成すように配設され、
前記第２直線偏光変換部は、
前記スクリーン側に配設される１／４波長板と、前記第２偏光板側に配設される１／２波長板とを備え、
前記第２直線偏光変換部を構成する１／４波長板は、
前記第２偏光板の透過軸に対して、遅相軸が１５度または１０５度を成すように配設され、
前記第２直線偏光変換部を構成する１／２波長板は、
前記第２偏光板の透過軸に対して、遅相軸が７５度または１６５度を成すように配設され、
前記第１円偏光変換部及び前記第２直線偏光変換部を構成する各前記１／２波長板は、
遅相軸が互いに直交するように配設され、
前記第１円偏光変換部及び前記第２直線偏光変換部を構成する各前記１／４波長板は、
遅相軸が互いに直交するように配設されている
ことを特徴とするプロジェクションシステム。
【発明の詳細な説明】
【技術分野】
【０００１】
本発明は、プロジェクションシステムに関する。
【背景技術】
【０００２】
従来、２つのプロジェクターと、２つのプロジェクターから投射された右，左目用画像が投影されるスクリーンと、観察者に装着される偏光眼鏡とを備え、偏光眼鏡を通してスクリーン上の投影画像を観察者に立体視させるプロジェクションシステム（立体画像表示装置）が知られている（例えば、特許文献１参照）。
特許文献１では、右，左回りの円偏光を利用して、スクリーン上の投影画像を観察者に立体視させる円偏光方式のプロジェクションシステムが例示されている。
【０００３】
図１０は、従来の円偏光方式のプロジェクションシステム１００の一例を示す図である。
なお、図１０（Ａ）では、説明の便宜上、プロジェクションシステム１００の一部の構成（右目用の円偏光変換部２００、左目用透過部３００（左目用の偏光板３１０及び左目用の直線偏光変換部３２０）のみを図示している。
例えば、円偏光方式のプロジェクションシステム１００の構成としては、以下の構成が挙げられる。
【０００４】
すなわち、プロジェクションシステム１００は、図１０（Ａ）に示すように、右，左目用プロジェクター（図示略）と、スクリーンＳｃと、右目用の円偏光変換部２００と、左目用の円偏光変換部（図示略）と、右目用透過部（図示略）及び左目用透過部３００を有する偏光眼鏡とを備える。
右目用プロジェクターは、右目用画像を形成し、当該右目用画像を直線偏光（図１０（Ａ）の例では上下方向（鉛直方向）に沿う偏光方向を有する直線偏光Ｓ（以下、第１直線偏光Ｓ）で投射する。
右目用の円偏光変換部２００は、１／４波長板（狭帯域位相差板）で構成され、右目用プロジェクターに取り付けられる。そして、右目用の円偏光変換部２００は、右目用プロジェクターから投射された第１直線偏光Ｓを右，左回りの円偏光のうち一方の円偏光（以下、第１の円偏光）に変換する。
一方、左目用プロジェクターは、左目用画像を形成し、当該左目用画像を第１直線偏光Ｓに対して偏光方向が直交する第２直線偏光で投射する。
左目用の円偏光変換部は、１／４波長板（狭帯域位相差板）で構成され、左目用プロジェクターに取り付けられる。そして、左目用の円偏光変換部は、左目用プロジェクターから投射された第２直線偏光を右，左回りの円偏光のうち他方の円偏光（以下、第２の円偏光）に変換する。
【０００５】
偏光眼鏡において、左目用透過部３００は、図１０（Ａ）に示すように、左目用の偏光板３１０と、左目用の直線偏光変換部３２０とを備える。
左目用の偏光板３１０は、右目用プロジェクターから投射された第１直線偏光Ｓの偏光方向に対して、透過軸ＴＬＧが平行となるように設定されている。
左目用の直線偏光変換部３２０は、１／４波長板（狭帯域位相差板）で構成され、第１の円偏光を第１直線偏光Ｓに変換し、第２の円偏光を第２直線偏光に変換して、左目用の偏光板３１０に出射する。
一方、偏光眼鏡において、右目用透過部は、左目用透過部３００と同様に、右目用の偏光板と、右目用の直線偏光変換部とを備える。
右目用の偏光板は、左目用プロジェクターから投射された第２直線偏光の偏光方向に対して、透過軸が平行となるように設定されている。
右目用の直線偏光変換部は、左目用の直線偏光変換部と同様に、１／４波長板（狭帯域位相差板）で構成され、第１の円偏光を第１直線偏光Ｓに変換し、第２の円偏光を第２直線偏光に変換して、右目用の偏光板に出射する。
【０００６】
このため、右，左目用プロジェクターから投射された右，左目用画像は、偏光眼鏡を通して、以下に示すように観察者に視認される。
先ず、右目用プロジェクターから投射された第１直線偏光Ｓ（右目用画像）は、右目用の円偏光変換部２００にて第１の円偏光に変換された後、スクリーンＳｃにて反射されて、第２の円偏光に変換される。
第２の円偏光に変換された光束は、左目用の直線偏光変換部３２０にて第２直線偏光に変換され、左目用の偏光板３１０で遮断される。
また、第２の円偏光に変換された光束は、右目用の直線偏光変換部にて第２直線偏光に変換され、右目用の偏光板を透過する。
このため、右目用プロジェクターから投射された右目用画像は、観察者の右目にて視認される。
【０００７】
一方、左目用プロジェクターから投射された第２直線偏光（左目用画像）は、左目用の円偏光変換部にて第２の円偏光に変換された後、スクリーンＳｃにて反射されて、第１の円偏光に変換される。
第１の円偏光に変換された光束は、左目用の直線偏光変換部３２０にて第１直線偏光Ｓに変換され、左目用の偏光板３１０を透過する。
また、第１の円偏光に変換された光束は、右目用の直線偏光変換部にて第１直線偏光Ｓに変換され、右目用の偏光板で遮断される。
このため、左目用プロジェクターから投射された左目用画像は、観察者の左目にて視認される。
そして、観察者は、上述したように右目用画像を右目にて視認し、左目用画像を左目にて視認し、視差により投影画像を立体視することとなる。
【先行技術文献】
【特許文献】
【０００８】
【特許文献１】特開２００９−１２２６５９号公報
【発明の概要】
【発明が解決しようとする課題】
【０００９】
ところで、位相差板（例えば、１／４波長板）は、可視光帯域の略全域の波長光に対して理想的な位相差（例えば、λ／４）を与えることができないという特性を有している。
そして、円偏光方式のプロジェクションシステムにおいて、例えば、上述したように、右目用の円偏光変換部２００及び左目用の直線偏光変換部３２０を利用して、右目用プロジェクターから投射された第１直線偏光Ｓを、円偏光に変換した後、偏光方向が直交する第２直線偏光に変換して、左目用の偏光板３１０で遮断する構成とした場合には、以下の問題が生じてしまう。
右目用の円偏光変換部（１／４波長板）２００では、右目用プロジェクターから投射された可視光帯域の略全域の波長光（第１直線偏光Ｓ）に対して理想的な位相差（λ／４）を与えることができない。このため、一部の波長域の光束が第１の円偏光でなく、楕円偏光になってしまう。
【００１０】
左目用の直線偏光変換部（１／４波長板）３２０でも同様に、右目用プロジェクターから投射され右目用の円偏光変換部２００及びスクリーンＳｃを介して入射した可視光帯域の略全域の波長光に対して理想的な位相差（λ／４）を与えることができない。このため、一部の波長域の光束が左目用の偏光板３１０で遮断できる第２直線偏光でなく、楕円偏光になってしまう。
すなわち、一部の波長域の光束に対して右目用の円偏光変換部２００で与えた位相差のずれ分（理想的な位相差と現実に与えた位相差とのずれ分）と、左目用の直線偏光変換部３２０で与えた位相差のずれ分とが加算され、結果として、一部の波長域の光束が左目用の偏光板３１０で遮断できる第２直線偏光でなく、楕円偏光に大きくずれてしまう。
このため、図１０（Ｂ）に示すように、右目用プロジェクターから投射された右目用画像のうち、一部の波長域の光束が左目用の偏光板３１０を透過して観察者の左目にて視認されてしまい、所謂クロストークが生じてしまう。
なお、左目用プロジェクターから投射された左目用画像についても同様である（一部の波長域の光束が右目にて視認される）。
【００１１】
本発明の目的は、投影画像を良好に視認させることができるプロジェクションシステムを提供することにある。
【課題を解決するための手段】
【００１２】
本発明のプロジェクションシステムは、第１画像を直線偏光で投射する第１プロジェクターと、第２画像を直線偏光で投射する第２プロジェクターと、前記第１画像及び前記第２画像が投影されるスクリーンと、前記第１プロジェクターから投射された直線偏光を円偏光に変換して前記スクリーンに出射する第１円偏光変換部、及び前記第２プロジェクターから投射された直線偏光を円偏光に変換して前記スクリーンに出射する第２円偏光変換部を有する偏光変換装置と、前記第１プロジェクターから投射され前記スクリーンを介した前記第１画像を透過させる第１画像透過部、及び前記第２プロジェクターから投射され前記スクリーンを介した前記第２画像を透過させる第２画像透過部を有する画像選択装置とを備え、前記第１画像透過部は、円偏光を直線偏光に変換する第１直線偏光変換部と、第１偏光板とを備え、前記第２画像透過部は、円偏光を直線偏光に変換する第２直線偏光変換部と、第２偏光板とを備え、前記第１偏光板は、前記第２プロジェクターから投射された直線偏光の偏光方向に対して、透過軸が直交するように配設され、前記第２偏光板は、前記第１プロジェクターから投射された直線偏光の偏光方向に対して、透過軸が直交するように配設されていることを特徴とする。
【００１３】
ここで、本発明のプロジェクションシステムは、第１画像及び第２画像をそれぞれ右目用画像及び左目用画像として投影画像を観察者に立体視させる構成としてもよく、あるいは、第１画像及び第２画像をコンテンツの異なる画像とし、２つの投影画像（第１画像及び第２画像）を異なる観察者にそれぞれ視認させる構成としても構わない。
以下では、説明の便宜上、プロジェクションシステムを前者の構成として説明する。
【００１４】
本発明では、プロジェクションシステムは、右，左目用プロジェクター（第１，第２プロジェクター）と、スクリーンと、右，左目用の円偏光変換部（第１、第２円偏光変換部）と、右，左目用透過部（第１，第２画像透過部）を有する画像選択装置とを備える。
そして、左目用透過部を構成する左目用の偏光板（第２偏光板）は、右目用プロジェクターから投射された直線偏光の偏光方向に対して透過軸が直交するように配設されている。
すなわち、右目用の円偏光変換部、及び左目用透過部を構成する左目用の直線偏光変換部（第２直線偏光変換部）を利用して、右目用プロジェクターから投射された直線偏光を、円偏光に変換した後、再度、同一の偏光方向の直線偏光に変換して、左目用の偏光板で遮断するように構成されている。
【００１５】
このことにより、一部の波長域の光束に対して右目用の円偏光変換部で与えた位相差のずれ分を、左目用の直線偏光変換部で与えた位相差のずれ分にて相殺する構成を実現することができる。すなわち、右目用プロジェクターから投射された直線偏光を、円偏光に変換した後、左目用の偏光板で遮断できる直線偏光に良好に変換できる。
このため、右目用プロジェクターから投射された右目用画像のうち、一部の波長域の光束が左目用の偏光板を透過して観察者の左目にて視認されることを抑制でき、すなわち、クロストークの発生を抑制できる。
なお、左目用プロジェクターから投射された左目用画像についても同様である（一部の波長域の光束が右目にて視認されることを抑制できる）。
したがって、投影画像を良好に立体視させることができる。
【００１６】
本発明のプロジェクションシステムでは、前記第１偏光板は、前記第１プロジェクターから投射された直線偏光の偏光方向に対して、透過軸が直交するように配設され、前記第２偏光板は、前記第２プロジェクターから投射された直線偏光の偏光方向に対して、透過軸が直交するように配設されていることが好ましい。
本発明によれば、左目用の偏光板、及び右目用透過部を構成する右目用の偏光板（第１偏光板）の透過軸が上述したように設定されているので、右，左目用プロジェクターから投射された直線偏光の偏光方向を同一方向に設定することができる。
すなわち、右，左目用プロジェクターを異なる構成とする必要がなく、同一の構成とすることができ、プロジェクションシステムを容易に構築できる。
【００１７】
本発明のプロジェクションシステムでは、前記第１偏光板は、前記第１プロジェクターから投射された直線偏光の偏光方向に対して、透過軸が平行となるように配設され、前記第２偏光板は、前記第２プロジェクターから投射された直線偏光の偏光方向に対して、透過軸が平行となるように配設されていることが好ましい。
本発明では、右目用の偏光板は、右目用プロジェクターから投射された直線偏光の偏光方向に対して、透過軸が平行となるように配設されている。
すなわち、右目用の円偏光変換部、及び右目用透過部を構成する右目用の直線偏光変換部（第１直線偏光変換部）を利用して、右目用プロジェクターから投射された直線偏光を、円偏光に変換した後、再度、同一の偏光方向の直線偏光に変換して、右目用の偏光板を透過させるように構成されている。
【００１８】
このことにより、一部の波長域の光束に対して右目用の円偏光変換部で与えた位相差のずれ分を、右目用の直線偏光変換部で与えた位相差のずれ分にて相殺する構成とすることができる。すなわち、右目用プロジェクターから投射された直線偏光を、円偏光に変換した後、右目用の偏光板を透過できる直線偏光に良好に変換できる。
このため、右目用プロジェクターから投射された右目用画像のうち、一部の波長域の光束が右目用の偏光板で遮断されることを抑制でき、右目用画像を観察者の右目にて良好に視認させることができる。
なお、左目用プロジェクターから投射された左目用画像についても同様である。
したがって、投影画像をさらに良好に立体視させることができる。
【００１９】
本発明のプロジェクションシステムでは、前記第１円偏光変換部は、前記第１プロジェクター側に配設される１／２波長板と、前記スクリーン側に配設される１／４波長板とを備え、前記第１円偏光変換部を構成する１／２波長板は、前記第１プロジェクターから投射された直線偏光の偏光方向に対して、遅相軸が７５度または１６５度を成すように配設され、前記第１円偏光変換部を構成する１／４波長板は、前記第１プロジェクターから投射された直線偏光の偏光方向に対して、遅相軸が１５度または１０５度を成すように配設され、前記第２直線偏光変換部は、前記スクリーン側に配設される１／４波長板と、前記第２偏光板側に配設される１／２波長板とを備え、前記第２直線偏光変換部を構成する１／４波長板は、前記第２偏光板の透過軸に対して、遅相軸が１５度または１０５度を成すように配設され、前記第２直線偏光変換部を構成する１／２波長板は、前記第２偏光板の透過軸に対して、遅相軸が７５度または１６５度を成すように配設され、前記第１円偏光変換部及び前記第２直線偏光変換部を構成する各前記１／２波長板は、遅相軸が互いに直交するように配設され、前記第１円偏光変換部及び前記第２直線偏光変換部を構成する各前記１／４波長板は、遅相軸が互いに直交するように配設されていることが好ましい。
【００２０】
本発明では、右目用の円偏光変換部は、１／２波長板及び１／４波長板を有する広帯域位相差板で構成されている。左目用の直線偏光変換部も同様である。
そして、右目用の円偏光変換部、及び左目用の直線偏光変換部を構成する各１／２波長板は、遅相軸が互いに直交するように配設されている。右目用の円偏光変換部、及び左目用の直線偏光変換部を構成する各１／４波長板も同様である。
すなわち、右目用の円偏光変換部は、左目用の直線偏光変換部と同じものを、光軸を中心として９０度回転させた構成となる。
このことにより、一部の波長域の光束に対して右目用の円偏光変換部で与えた位相差のずれ分を、当該右目用の円偏光変換部と同じ構成である左目用の直線偏光変換部で与えた位相差のずれ分にて確実に相殺することができ、クロストークの発生をより一層抑制できる。
また、右目用の円偏光変換部、及び左目用の直線偏光変換部が広帯域位相差板でそれぞれ構成されているので、狭帯域位相差板で構成する場合と比較して、一部の波長域の光束に対して与える位相差のずれ分自体を低減させることができる。
【図面の簡単な説明】
【００２１】
【図１】第１実施形態におけるプロジェクションシステムの使用形態を示す斜視図。
【図２】第１実施形態におけるプロジェクションシステムの構成を模式的に示すブロック図。
【図３】第１実施形態における右目用プロジェクター本体を構成する光学ユニットの一部を模式的に示す平面図。
【図４】第１実施形態における左目用プロジェクター本体を構成する光学ユニットの一部を模式的に示す平面図。
【図５】第１実施形態における右目用プロジェクター（補助偏光板及び円偏光変換部）と左目用透過部との間での透過軸及び遅相軸の関係を模式的に示す図。
【図６】第１実施形態における右目用プロジェクター（補助偏光板及び円偏光変換部）と右目用透過部との間での透過軸及び遅相軸の関係を模式的に示す図。
【図７】第１実施形態における効果を説明するための図。
【図８】第２実施形態における左目用プロジェクター本体を構成する光学ユニットの一部を模式的に示す平面図。
【図９】第３実施形態におけるプロジェクションシステムの構成を模式的に示すブロック図。
【図１０】従来の円偏光方式のプロジェクションシステムの一例を示す図。
【発明を実施するための形態】
【００２２】
[第１実施形態]
以下、本発明の第１実施形態を図面に基づいて説明する。
〔プロジェクションシステムの構成〕
図１は、プロジェクションシステム１の使用形態を示す斜視図である。
図２は、プロジェクションシステム１の構成を模式的に示すブロック図である。
プロジェクションシステム１は、反射型のスクリーンＳｃ（図１）上に投影画像を表示するとともに、観察者に投影画像を立体視させる。
このプロジェクションシステム１は、図１または図２に示すように、第１プロジェクターとしての右目用プロジェクター２Ｒと、第２プロジェクターとしての左目用プロジェクター２Ｌと、スクリーンＳｃ（図１）と、画像選択装置としての偏光眼鏡３とを備える。
【００２３】
〔右目用プロジェクターの構成〕
右目用プロジェクター２Ｒは、画像を形成してスクリーンＳｃ上に投射する。
この右目用プロジェクター２Ｒは、図２に示すように、右目用プロジェクター本体２０Ｒと、右目用の補助偏光板２４Ｒと、第１円偏光変換部としての右目用の円偏光変換部２５Ｒとを備える。
右目用プロジェクター本体２０Ｒは、光学ユニット２１（図３参照）と、制御装置２２（図２）と、光学ユニット２１及び制御装置２２が内部に収納される外装筐体２３（図１）とを備える。
【００２４】
〔光学ユニットの構成〕
図３は、右目用プロジェクター本体２０Ｒを構成する光学ユニット２１の一部を模式的に示す平面図である。
なお、図３において、紙面に直交する方向は、図１の上下方向（鉛直方向）に相当するものである。
以下では、説明の便宜上、図３中、紙面に直交する偏光方向を有する直線偏光を第１直線偏光Ｓと記載し、第１直線偏光Ｓの偏光方向に直交し、図３中、紙面に平行となる偏光方向を有する直線偏光を第２直線偏光Ｐとして記載する。
光学ユニット２１は、図３に示すように、３つの液晶パネル２１１と、３つの入射側偏光板２１２と、３つの出射側偏光板２１３と、２つの１／２波長板２１４と、色合成光学装置としてのクロスダイクロイックプリズム２１５と、波長選択性偏光回転素子２１６と、投射光学装置としての投射レンズ２１７と、右目用の補助偏光板２４Ｒと、第１円偏光変換部としての右目用の円偏光変換部２５Ｒとを備える。
【００２５】
３つの入射側偏光板２１２は、第１直線偏光Ｓの偏光方向と同一方向の透過軸を有する。すなわち、光源装置（図示略）から出射され３つの入射側偏光板２１２に入射した赤、緑、青の各色光Ｒ，Ｇ，Ｂは、図３に示すように、各入射側偏光板２１２から第１直線偏光Ｓとして出射される。
３つの出射側偏光板２１３は、入射側偏光板２１２の透過軸に対して直交する透過軸を有する。すなわち、各入射側偏光板２１２から出射され、各液晶パネル２１１を介して各出射側偏光板２１３に入射した各色光Ｒ，Ｇ，Ｂ（各画像）のうち第２直線偏光Ｐ成分の光は、図３に示すように、各出射側偏光板２１３から出射される。
【００２６】
２つの１／２波長板２１４は、図３に示すように、赤、青の各色光Ｒ，Ｂの光路において、各出射側偏光板２１３とプリズム２１５との間に配設されている。すなわち、図３に示すように、各出射側偏光板２１３から出射された赤、緑、青の各色光Ｒ，Ｇ，Ｂ（第２直線偏光Ｐ）のうち、色光Ｒ，Ｂのみが各１／２波長板２１４にて第１直線偏光Ｓに変換される。
【００２７】
プリズム２１５は、図３に示すように、平面視で略Ｘ字状に交差する一対の誘電体多層膜２１５Ａ，２１５Ｂを有する。一方の誘電体多層膜２１５Ａは赤色光Ｒを反射させるものであり、他方の誘電体多層膜２１５Ｂは青色光Ｂを反射させるものであり、これらの誘電体多層膜２１５Ａ，２１５Ｂによって赤、青の各色光Ｒ，Ｂは折り曲げられ、緑色光Ｇの進行方向と揃えられることで、３つの色光Ｒ，Ｇ，Ｂが合成される。
【００２８】
波長選択性偏光回転素子２１６は、プリズム２１５で合成された３つの色光Ｒ，Ｇ，Ｂのうち、緑色光Ｇに対応する波長域の偏光軸を９０度回転させ、当該光束の偏光方向を、図３に示すように、第１直線偏光Ｓの偏光方向に揃える。このような波長選択性偏光回転素子２１６は、例えば、特開２０１０−２０４３３３号公報に開示されている。
そして、波長選択性偏光回転素子２１６で第１直線偏光Ｓに揃えられた３つの色光Ｒ，Ｇ，Ｂは、投射レンズ２１７によって投射される。
すなわち、右目用プロジェクター本体２０Ｒは、３つの色光Ｒ，Ｇ，Ｂ（右目用画像）を第１直線偏光Ｓで投射する。
【００２９】
〔制御装置の構成〕
制御装置２２は、ＣＰＵ(Central Processing Unit)等を有し、液晶パネル２１１の動作を制御する。
この制御装置２２は、図２に示すように、信号判別部２２１と、右目用記憶部２２２Ｒ及び左目用記憶部２２２Ｌと、表示制御部２２３と、タイミングコントローラー２２４とを備える。
信号判別部２２１は、外部から入力した入力信号に含まれる左右画像信号から、右目用画像信号と、左目用画像信号とを判別する。
そして、信号判別部２２１は、右目用画像信号を右目用画像データとして右目用記憶部２２２Ｒに記憶させ、左目用画像信号を左目用画像データとして左目用記憶部２２２Ｌに記憶させる。
なお、右，左目用記憶部２２２Ｒ，２２２Ｌに記憶される右，左目用画像データは、１フレーム毎のデータの集まりによってそれぞれ構成されている。
【００３０】
表示制御部２２３は、右，左目用記憶部２２２Ｒ，２２２Ｌに記憶された右，左目用画像データのいずれかを読み出し、読み出した画像データに基づく画像を各液晶パネル２１１に形成させる。
例えば、表示制御部２２３は、外装筐体２３の外部に露出して設けられたディップスイッチ（図示略）のＯＮまたはＯＦＦを認識することで、自身のプロジェクターが右目用画像（第１画像）を投射するプロジェクターであるか、左目用画像（第２画像）を投射するプロジェクターであるかを認識する。
そして、表示制御部２２３は、右目用画像を投射するプロジェクターであると認識した場合には、右目用記憶部２２２Ｒに記憶された右目用画像データを読み出し、読み出した右目用画像データに基づく右目用画像を各液晶パネル２１１に形成させる。
【００３１】
なお、図２では、説明の便宜上、右，左目用プロジェクター本体２０Ｒ，２０Ｌで同様の構成については同一の符号を付している。
ここで、制御装置２２は、図２に示すように、右，左目用プロジェクター本体２０Ｒ，２０Ｌで同様の構成である。
このため、左目用プロジェクター本体２０Ｌにおいても、表示制御部２２３は、上記同様の処理を実行する。
タイミングコントローラー２２４は、外部から入力した入力信号に含まれる同期信号（垂直同期信号、水平同期信号）を読み取って、表示制御部２２３に処理を実行させる。
なお、左目用プロジェクター本体２０Ｌにおいても、タイミングコントローラー２２４は、上記同様の処理を実行する。
すなわち、右，左目用プロジェクター本体２０Ｒ，２０Ｌを構成する各タイミングコントローラー２２４は、右，左目用プロジェクター本体２０Ｒ，２０Ｌから投射されスクリーンＳｃ上に投影される右，左目用画像の表示タイミングの同期をとっている。
【００３２】
〔右目用の補助偏光板の構成〕
右目用の補助偏光板２４Ｒは、第１直線偏光Ｓの偏光方向と同一方向の透過軸を有する偏光板であり、右目用プロジェクター本体２０Ｒ（外装筐体２３）に取り付けられ、図３に示すように、投射レンズ２１７の光路下流側に位置付けられる。
そして、右目用プロジェクター本体２０Ｒにて投射された各色光Ｒ，Ｇ，Ｂ（第１直線偏光Ｓ）は、右目用の補助偏光板２４Ｒをそのまま透過する。
すなわち、右目用の補助偏光板２４Ｒは、右目用プロジェクター本体２０Ｒから投射される光束の偏光度を高めるために用いられている。
【００３３】
〔右目用の円偏光変換部の構成〕
右目用の円偏光変換部２５Ｒは、右目用の補助偏光板２４Ｒとともに右目用プロジェクター本体２０Ｒに取り付けられ、図３に示すように、右目用の補助偏光板２４Ｒの光路下流側に位置付けられる。
そして、右目用の円偏光変換部２５Ｒは、右目用プロジェクター本体２０Ｒから投射され、右目用の補助偏光板２４Ｒを介した各色光Ｒ，Ｇ，Ｂ（第１直線偏光Ｓ）を第１の円偏光に変換する。
この右目用の円偏光変換部２５Ｒは、図３に示すように、右目用の補助偏光板２４Ｒに近接する側（右目用プロジェクター２Ｒ側）に配設される１／２波長板２５Ｒ１と、右目用の補助偏光板２４Ｒから離間した側（スクリーンＳｃ側）に配設される１／４波長板２５Ｒ２とを備える。
すなわち、右目用の円偏光変換部２５Ｒは、広帯域位相差板で構成されている。
なお、具体的な図示は省略したが、右目用の補助偏光板２４Ｒ及び右目用の円偏光変換部２５Ｒは、ユニット化され、右目用プロジェクター本体２０Ｒの外装筐体２３に対して着脱自在に構成されている。
【００３４】
〔左目用プロジェクターの構成〕
図４は、左目用プロジェクター本体２０Ｌを構成する光学ユニット２１の一部を模式的に示す平面図である。
なお、図４では、説明の便宜上、右目用プロジェクター本体２０Ｒを構成する各部材２１１〜２１７と同様の構成については同一の符号を付している。また、左目用の補助偏光板２４Ｌ及び左目用の円偏光変換部２５Ｌは、それぞれ右目用の補助偏光板２４Ｒ及び右目用の円偏光変換部２５Ｒに対応し、同様の構成を有する。
左目用プロジェクター２Ｌは、図２または図４に示すように、右目用プロジェクター２Ｒと同様の構成を有している。
【００３５】
そして、左目用プロジェクター本体２０Ｌは、右目用プロジェクター本体２０Ｒと同様に、３つの色光Ｒ，Ｇ，Ｂ（左目用画像）を第１直線偏光Ｓで投射する。
左目用の補助偏光板２４Ｌは、第１直線偏光Ｓの偏光方向と同一方向の透過軸を有する偏光板であり、左目用プロジェクター本体２０Ｌ（外装筐体２３）に取り付けられ、図４に示すように、投射レンズ２１７の光路下流側に位置付けられる。
すなわち、左目用の補助偏光板２４Ｌは、右目用の補助偏光板２４Ｒと同様に、左目用プロジェクター本体２０Ｌから投射された各色光Ｒ，Ｇ，Ｂ（第１直線偏光Ｓ）の偏光度を高めるために用いられている。
【００３６】
左目用の円偏光変換部２５Ｌは、左目用の補助偏光板２４Ｌとともに左目用プロジェクター本体２０Ｌに取り付けられ、図４に示すように、左目用の補助偏光板２４Ｌの光路下流側に位置付けられる。
また、左目用の円偏光変換部２５Ｌは、右目用の円偏光変換部２５Ｒと同様に、図４に示すように、１／２波長板２５Ｌ１及び１／４波長板２５Ｌ２を備えた広帯域位相差板で構成されている。
そして、左目用の円偏光変換部２５Ｌは、左目用プロジェクター本体２０Ｌから投射され、左目用の補助偏光板２４Ｌを介した各色光Ｒ，Ｇ，Ｂ（第１直線偏光Ｓ）を第１の円偏光とは異なる第２の円偏光に変換する。
すなわち、左目用の円偏光変換部２５Ｌは、本発明に係る第２円偏光変換部に相当する。
また、右目用の円偏光変換部２５Ｒ、及び左目用の円偏光変換部２５Ｌが本発明に係る偏光変換装置２５（図３、図４）に相当する。
なお、左目用の補助偏光板２４Ｌ及び左目用の円偏光変換部２５Ｌも、右目用の補助偏光板２４Ｒ及び右目用の円偏光変換部２５Ｒと同様に、ユニット化され、左目用プロジェクター本体２０Ｌの外装筐体２３に対して着脱自在に構成されている。
【００３７】
〔偏光眼鏡の構成〕
偏光眼鏡３は、観察者が装着するものであり、図１、図３、または図４に示すように、第１画像透過部としての右目用透過部３１Ｒと、第２画像透過部としての左目用透過部３１Ｌとを備える。
右目用透過部３１Ｒは、右，左目用プロジェクター２Ｒ，２Ｌから投射された右，左目用画像のうち、右目用プロジェクター２Ｒから投射されスクリーンＳｃを介した右目用画像のみを透過させる。
この右目用透過部３１Ｒは、図３または図４に示すように、第１直線偏光変換部としての右目用の直線偏光変換部３２Ｒと、第１偏光板としての右目用の偏光板３３Ｒとを備える。
右目用の直線偏光変換部３２Ｒは、観察者から離間した側（スクリーンＳｃ側）に配設される１／４波長板３２１Ｒと、観察者に近接する側に配設される１／２波長板３２２Ｒとを備える。
すなわち、右目用の直線偏光変換部３２Ｒは、各円偏光変換部２５Ｒ，２５Ｌと同様に、広帯域位相差板で構成されている。
そして、右目用の直線偏光変換部３２Ｒは、第１の円偏光を第１直線偏光Ｓに変換し、第２の円偏光を第２直線偏光Ｐに変換する。
右目用の偏光板３３Ｒは、第２直線偏光Ｐと同一方向の透過軸を有する偏光板であり、図３または図４に示すように、右目用透過部３１Ｒに対して観察者側に設けられる。
【００３８】
左目用透過部３１Ｌは、右，左目用プロジェクター２Ｒ，２Ｌから投射された右，左目用画像のうち、左目用プロジェクター２Ｌから投射されスクリーンＳｃを介した左目用画像のみを透過させる。
この左目用透過部３１Ｌは、図３または図４に示すように、第２直線偏光変換部としての左目用の直線偏光変換部３２Ｌと、第２偏光板としての左目用の偏光板３３Ｌとを備える。
左目用の直線偏光変換部３２Ｌは、右目用の直線偏光変換部３２Ｒと同様に、１／４波長板３２１Ｌ及び１／２波長板３２２Ｌを備えた広帯域位相差板で構成されている。
そして、左目用の直線偏光変換部３２Ｌは、右目用の直線偏光変換部３２Ｒとは逆に、第１の円偏光を第２直線偏光Ｐに変換し、第２の円偏光を第１直線偏光Ｓに変換する。
左目用の偏光板３３Ｌは、右目用の偏光板３３Ｒと同様に、第２直線偏光Ｐと同一方向の透過軸を有する偏光板であり、図３または図４に示すように、左目用透過部３１Ｌに対して観察者側に設けられる。
【００３９】
〔透過軸及び遅相軸の関係〕
次に、右，左目用プロジェクター２Ｒ，２Ｌ（補助偏光板２４Ｒ，２４Ｌ及び円偏光変換部２５Ｒ，２５Ｌ）、及び右，左目用透過部３１Ｒ，３１Ｌの透過軸及び遅相軸の関係について説明する。
なお、以下では、説明の便宜上、右目用プロジェクター２Ｒ（補助偏光板２４Ｒ及び円偏光変換部２５Ｒ）と右，左目用透過部３１Ｒ，３１Ｌとの間での透過軸及び遅相軸の関係を主に説明する。
【００４０】
〔右目用プロジェクターと左目用透過部との関係〕
図５は、右目用プロジェクター２Ｒ（補助偏光板２４Ｒ及び円偏光変換部２５Ｒ）と左目用透過部３１Ｌとの間での透過軸及び遅相軸の関係を模式的に示す図である。
なお、図５において、上下方向は、図１の上下方向（鉛直方向）に相当するものである。
また、以下に示す透過軸及び遅相軸の角度は、第２直線偏光Ｐの偏光方向（図５中、左右方向）を基準とし、右，左目用プロジェクター本体２０Ｒ，２０Ｌ側または観察者側から見た場合での第２直線偏光Ｐの偏光方向との成す角度を意味する。
右目用の補助偏光板２４Ｒにおいて、透過軸ＴＲＰは、上述したように、第１直線偏光Ｓの偏光方向と同一方向である。すなわち、透過軸ＴＲＰの角度は、９０度に設定されている。
【００４１】
右目用の円偏光変換部２５Ｒにおいて、１／２波長板２５Ｒ１の遅相軸ＳＲＰ１の角度は、７５度に設定されている。すなわち、１／２波長板２５Ｒ１の遅相軸ＳＲＰ１は、右目用の補助偏光板２４Ｒの透過軸ＴＲＰ（右目用プロジェクター本体２０Ｒから投射される第１直線偏光Ｓの偏光方向）に対して１６５度を成すように設定されている。
また、１／４波長板２５Ｒ２の遅相軸ＳＲＰ２の角度は、１５度に設定されている。すなわち、１／４波長板の遅相軸ＳＲＰ２は、右目用の補助偏光板２４Ｒの透過軸ＴＲＰに対して１０５度を成すように設定されている。
【００４２】
一方、左目用透過部３１Ｌにおいて、左目用の直線偏光変換部３２Ｌを構成する１／４波長板３２１Ｌの遅相軸ＳＬＧ１の角度は、１０５度に設定されている。また、１／２波長板３２２Ｌの遅相軸ＳＬＧ２の角度は、１６５度に設定されている。
すなわち、左目用の直線偏光変換部３２Ｌは、右目用の円偏光変換部２５Ｒと同じものを、光軸を中心として９０度回転させた構成である。
このため、右目用の円偏光変換部２５Ｒと左目用の直線偏光変換部３２Ｌとの間では、各１／２波長板２５Ｒ１，３２２Ｌの遅相軸ＳＲＰ１，ＳＬＧ２は、互いに直交する。また、各１／４波長板２５Ｒ２，３２１Ｌの遅相軸ＳＲＰ２，ＳＬＧ１も互いに直交する。
また、左目用透過部３１Ｌにおいて、左目用の偏光板３３Ｌの透過軸ＴＬＧは、上述したように、第２直線偏光Ｐの偏光方向と同一方向である。すなわち、透過軸ＴＬＧの角度は、０度に設定されている。
したがって、本実施形態では、右目用の補助偏光板２４Ｒの透過軸ＴＲＰと、左目用の偏光板３３Ｌの透過軸ＴＬＧとは、互いに直交するように設定されている。
【００４３】
そして、右目用プロジェクター２Ｒと左目用透過部３１Ｌとの間で、透過軸及び遅相軸の関係が上述したように設定されているため、右目用プロジェクター本体２０Ｒから投射された各色光Ｒ，Ｇ，Ｂ（第１直線偏光Ｓ）は、以下に示すように進行する。
すなわち、右目用プロジェクター本体２０Ｒから投射された各色光Ｒ，Ｇ，Ｂ（第１直線偏光Ｓ）は、右目用の補助偏光板２４Ｒを介した後、右目用の円偏光変換部２５Ｒにより、第１の円偏光に変換される。
第１の円偏光に変換された各色光Ｒ，Ｇ，Ｂは、スクリーンＳｃで反射されることで、第２の円偏光に変換される。
第２の円偏光に変換された各色光Ｒ，Ｇ，Ｂは、左目用透過部３１Ｌに入射した際、左目用の直線偏光変換部３２Ｌにて第１直線偏光Ｓに変換され、左目用の偏光板３３Ｌで遮断される。
このため、右目用プロジェクター本体２０Ｒから投射された各色光Ｒ，Ｇ，Ｂ（右目用画像）は、観察者の左目にて視認されることはない。
【００４４】
〔右目用プロジェクターと右目用透過部との関係〕
図６は、右目用プロジェクター２Ｒ（補助偏光板２４Ｒ及び円偏光変換部２５Ｒ）と右目用透過部３１Ｒとの間での透過軸及び遅相軸の関係を模式的に示す図である。
右目用透過部３１Ｒにおいて、右目用の直線偏光変換部３２Ｒを構成する１／４波長板３２１Ｒの遅相軸ＳＲＧ１の角度は、１５度に設定されている。また、１／２波長板３２２Ｒの遅相軸ＳＲＧ２の角度は、７５度に設定されている。
また、右目用透過部３１Ｒにおいて、右目用の偏光板３３Ｒの透過軸ＴＲＧは、上述したように、第２直線偏光Ｐの偏光方向と同一方向である。すなわち、透過軸ＴＲＧは、図６に示すように、０度に設定されている。
したがって、本実施形態では、右目用の補助偏光板２４Ｒの透過軸ＴＲＰと、右目用の偏光板３３Ｒの透過軸ＴＲＧとは、互いに直交するように設定されている。
【００４５】
そして、右目用プロジェクター２Ｒと右目用透過部３１Ｒとの間で、透過軸及び遅相軸の関係が上述したように設定されているため、右目用プロジェクター本体２０Ｒから投射された各色光Ｒ，Ｇ，Ｂ（第１直線偏光Ｓ）は、以下に示すように進行する。
すなわち、右目用プロジェクター本体２０Ｒから投射され、右目用の補助偏光板２４Ｒ及び右目用の円偏光変換部２５Ｒを介し、スクリーンＳｃで反射された第２の円偏光の各色光Ｒ，Ｇ，Ｂは、右目用透過部３１Ｒに入射した際、右目用の直線偏光変換部３２Ｒにて第２直線偏光Ｐに変換され、右目用の偏光板３３Ｒを透過する。
このため、右目用プロジェクター本体２０Ｒから投射された各色光Ｒ，Ｇ，Ｂ（右目用画像）は、観察者の右目にて視認されることとなる。
【００４６】
なお、右，左目用プロジェクター２Ｒ，２Ｌ（補助偏光板２４Ｒ，２４Ｌ、及び円偏光変換部２５Ｒ，２５Ｌ）、及び右，左目用透過部３１Ｒ，３１Ｌの透過軸及び遅相軸の角度を纏めると、以下の表１に示すようになる。
【００４７】
〔表１〕
2013122476.tif 000003
【００４８】
左目用プロジェクター２Ｌと右，左目用透過部３１Ｒ，３１Ｌとの間での透過軸及び遅相軸の関係については、表１に示すように、右目用プロジェクター２Ｒと右，左目用透過部３１Ｒ，３１Ｌの透過軸及び遅相軸の関係と略同様である。
すなわち、左目用の円偏光変換部２５Ｌにおいて、１／２波長板２５Ｌ１の遅相軸は、左目用の補助偏光板２４Ｌの透過軸に対して７５度を成すように設定されている。また、１／４波長板２５Ｌ２の遅相軸は、左目用の補助偏光板２４Ｌの透過軸に対して１５度を成すように設定されている。
また、左目用の円偏光変換部２５Ｌと右目用の直線偏光変換部３２Ｒとの間では、各１／２波長板２５Ｌ１，３２２Ｒの遅相軸は、互いに直交する。また、各１／４波長板２５Ｌ２，３２１Ｒの遅相軸も互いに直交する。
さらに、左目用の補助偏光板２４Ｌの透過軸と、右目用の偏光板３３Ｒの透過軸とは、互いに直交するように設定されている。
また、右目用の補助偏光板２４Ｒの透過軸と、左目用の偏光板３３Ｌの透過軸とは、互いに直交するように設定されている。
【００４９】
そして、左目用プロジェクター２Ｌと右，左目用透過部３１Ｒ，３１Ｌとの間で、透過軸及び遅相軸の関係が上述したように設定されているため、左目用プロジェクター本体２０Ｌから投射された各色光Ｒ，Ｇ，Ｂ（第１直線偏光Ｓ）は、以下に示すように進行する。
すなわち、左目用プロジェクター本体２０Ｌから投射された各色光Ｒ，Ｇ，Ｂ（第１直線偏光Ｓ）は、左目用の補助偏光板２４Ｌを介した後、左目用の円偏光変換部２５Ｌにより、第２の円偏光に変換される。
第２の円偏光に変換された各色光Ｒ，Ｇ，Ｂは、スクリーンＳｃで反射されることで、第１の円偏光に変換される。
第１の円偏光に変換された各色光Ｒ，Ｇ，Ｂは、右目用透過部３１Ｒに入射した際、右目用の直線偏光変換部３２Ｒにて第１直線偏光Ｓに変換され、右目用の偏光板３３Ｒで遮断される。
このため、左目用プロジェクター本体２０Ｌから投射された各色光Ｒ，Ｇ，Ｂ（左目用画像）は、観察者の右目にて視認されることはない。
【００５０】
一方、第１の円偏光に変換された各色光Ｒ，Ｇ，Ｂは、左目用透過部３１Ｌに入射した際、左目用の直線偏光変換部３２Ｌにて第２直線偏光Ｐに変換され、左目用の偏光板３３Ｌを透過する。
このため、左目用プロジェクター本体２０Ｌから投射された各色光Ｒ，Ｇ，Ｂ（左目用画像）は、観察者の左目にて視認されることとなる。
【００５１】
上述した第１実施形態によれば、以下の効果がある。
図７は、第１実施形態における効果を説明するための図である。
本実施形態では、右目用の円偏光変換部２５Ｒ、及び左目用の直線偏光変換部３２Ｌを利用して、右目用プロジェクター本体２０Ｒから投射された第１直線偏光Ｓを、円偏光に変換した後、再度、同一の第１直線偏光Ｓに変換して、左目用の偏光板３３Ｌで遮断するように構成されている。
このことにより、一部の波長域の光束に対して右目用の円偏光変換部２５Ｒで与えた位相差のずれ分（理想的な位相差と現実に与えた位相差とのずれ分）を、左目用の直線偏光変換部３２Ｌで与えた位相差のずれ分にて相殺する構成を実現することができる。すなわち、右目用プロジェクター本体２０Ｒから投射された第１直線偏光Ｓを、円偏光に変換した後、左目用の偏光板３３Ｌで遮断できる第１直線偏光Ｓに良好に変換できる。
このため、右目用プロジェクター本体２０Ｒから投射された右目用画像のうち、一部の波長域の光束が左目用の偏光板３３Ｌを透過して観察者の左目にて視認されることを抑制でき、すなわち、クロストークの発生を抑制できる。
なお、左目用プロジェクター本体２０Ｌから投射された左目用画像についても同様である（一部の波長域の光束が右目にて視認されることを抑制できる）。
したがって、投影画像を良好に立体視させることができる。
【００５２】
また、右，左目用の偏光板３３Ｒ，３３Ｌの透過軸が表１に示すように設定されているので、右，左目用プロジェクター本体２０Ｒ，２０Ｌから投射された直線偏光の偏光方向を同一方向（第１直線偏光Ｓ）に設定することができる。
すなわち、右，左目用プロジェクター本体２０Ｒ，２０Ｌを異なる構成とする必要がなく、同一の構成とすることができ、プロジェクションシステム１を容易に構築できる。
【００５３】
さらに、右目用の円偏光変換部２５Ｒは、１／２波長板２５Ｒ１及び１／４波長板２５Ｒ２を有する広帯域位相差板で構成されている。左目用の直線偏光変換部３２Ｌも同様である。
そして、各１／２波長板２５Ｒ１，３２２Ｌは、遅相軸が互いに直交するように配設されている。各１／４波長板２５Ｒ２，３２１Ｌも同様である。
すなわち、右目用の円偏光変換部２５Ｒは、左目用の直線偏光変換部３２Ｌと同じものを、光軸を中心として９０度回転させた構成となる。
このことにより、一部の波長域の光束に対して右目用の円偏光変換部２５Ｒで与えた位相差のずれ分を、右目用の円偏光変換部２５Ｒと同じ構成である左目用の直線偏光変換部３２Ｌで与えた位相差のずれ分にて確実に相殺することができ、右目用画像が左目にて視認されることをより一層抑制できる。
また、右目用の円偏光変換部２５Ｒ、及び左目用の直線偏光変換部３２Ｌが広帯域位相差板でそれぞれ構成されているので、狭帯域位相差板で構成する場合と比較して、一部の波長域の光束に対して与える位相差のずれ分自体を低減させることができる。
なお、左目用の円偏光変換部２５Ｌと右目用の直線偏光変換部３２Ｒについても上記同様に構成されているため、左目用画像が右目にて視認されることをより一層抑制できるとともに、狭帯域位相差版で構成する場合と比較して、一部の波長域の光束に対して与える位相差のずれ分自体を低減できる。
【００５４】
[第２実施形態]
次に、本発明の第２実施形態を図面に基づいて説明する。
以下の説明では、前記第１実施形態と同様の構成及び同一部材には同一の符号を付して、その詳細な説明は省略または簡略化する。
図８は、第２実施形態における左目用プロジェクター本体２０Ｌを構成する光学ユニット２１の一部を模式的に示す平面図である。
本実施形態では、前記第１実施形態に対して、左目用プロジェクター本体２０Ｌを構成する光学ユニット２１に１／２波長板２１８が追加された点（図８）、及び１／２波長板２１８の追加に伴い、左目用プロジェクター２Ｌ（補助偏光板２４Ｌ及び円偏光変換部２５Ｌ）及び右目用透過部３１Ｒの透過軸及び遅相軸の角度を変更した点が異なるのみである。
その他の構成は、前記第１実施形態と同様である。
【００５５】
１／２波長板２１８は、図８に示すように、プリズム２１５及び投射レンズ２１７の間に配設され、波長選択性偏光回転素子２１６で第１直線偏光Ｓに揃えられた３つの色光Ｒ，Ｇ，Ｂを第２直線偏光Ｐに変換する。
すなわち、本実施形態では、左目用プロジェクター本体２０Ｌは、３つの色光Ｒ，Ｇ，Ｂ（左目用画像）を第２直線偏光Ｐで投射する。
【００５６】
また、本実施形態では、右，左目用プロジェクター２Ｒ，２Ｌ（補助偏光板２４Ｒ，２４Ｌ、及び円偏光変換部２５Ｒ，２５Ｌ）、及び右，左目用透過部３１Ｒ，３１Ｌの透過軸及び遅相軸の角度は、以下の表２に示すように設定されている。
【００５７】
〔表２〕
2013122476.tif 000004
【００５８】
左目用の補助偏光板２４Ｌの透過軸は、左目用プロジェクター本体２０Ｌから投射される各色光Ｒ，Ｇ，Ｂ（第２直線偏光Ｐ）の偏光方向と同一方向に設定されている。すなわち、当該透過軸の角度は、表２に示すように、０度に設定されている。
また、左目用の円偏光変換部２５Ｌにおいて、１／２波長板２５Ｌ１の遅相軸は、左目用の補助偏光板２４Ｌの透過軸（左目用プロジェクター本体２０Ｌから投射される第２直線偏光Ｐの偏光方向）に対して７５度を成すように設定されている。
さらに、１／４波長板２５Ｌ２の遅相軸は、左目用の補助偏光板２４Ｌの透過軸に対して１５度を成すように設定されている。
【００５９】
右目用透過部３１Ｒにおいて、右目用の直線偏光変換部３２Ｒを構成する１／４波長板３２１Ｒの遅相軸は、表２に示すように、左目用プロジェクター２Ｌにおける１／４波長板２５Ｌ２の遅相軸に対して直交するように設定されている。
また、１／２波長板３２２Ｒの遅相軸は、左目用プロジェクター２Ｌにおける１／２波長板２５Ｌ１の遅相軸に対して直交するように設定されている。
さらに、右目用の偏光板３３Ｒの透過軸は、第１直線偏光Ｓの偏光方向と同一方向に設定されている。すなわち、当該透過軸の角度は、表２に示すように、９０度に設定されている。
したがって、本実施形態では、左目用の補助偏光板２４Ｌの透過軸と右目用の偏光板３３Ｒの透過軸とが直交するように設定されている。また、左目用の補助偏光板２４Ｌの透過軸と左目用の偏光板３３Ｌの透過軸とが平行となり、右目用の補助偏光板２４Ｒの透過軸と右目用の偏光板３３Ｒの透過軸とが平行となるように設定されている。
【００６０】
そして、右，左目用プロジェクター２Ｒ，２Ｌと右，左目用透過部３１Ｒ，３１Ｌとの間で、透過軸及び遅相軸の関係が上述したように設定されているため、右，左目用プロジェクター本体２０Ｒ，２０Ｌから投射された各色光Ｒ，Ｇ，Ｂは、以下に示すように進行する。
左目用プロジェクター本体２０Ｌから投射された各色光Ｒ，Ｇ，Ｂ（第２直線偏光Ｐ）は、左目用の補助偏光板２４Ｌを介した後、左目用の円偏光変換部２５Ｌにより、第２の円偏光に変換される。
第２の円偏光に変換された各色光Ｒ，Ｇ，Ｂは、スクリーンＳｃで反射されることで、第１の円偏光に変換される。
第１の円偏光に変換された各色光Ｒ，Ｇ，Ｂは、右目用透過部３１Ｒに入射した際、右目用の直線偏光変換部３２Ｒにて第２直線偏光Ｐに変換され、右目用の偏光板３３Ｒで遮断される。
また、第１の円偏光に変換された各色光Ｒ，Ｇ，Ｂは、左目用透過部３１Ｌに入射した際、左目用の直線偏光変換部３２Ｌにて第２直線偏光Ｐに変換され、左目用の偏光板３３Ｌを透過する。
【００６１】
一方、右目用プロジェクター本体２０Ｒから投射され、右目用の補助偏光板２４Ｒ及び右目用の円偏光変換部２５Ｒを介し、スクリーンＳｃで反射された第２の円偏光の各色光Ｒ，Ｇ，Ｂは、右目用透過部３１Ｒに入射した際、右目用の直線偏光変換部３２Ｒにて第１直線偏光Ｓに変換され、右目用の偏光板３３Ｒを透過する。
なお、右目用プロジェクター本体２０Ｒから投射され、左目用透過部３１Ｌに入射した第２の円偏光の各色光Ｒ，Ｇ，Ｂについては、前記第１実施形態と同様に偏光状態が変換され、左目用の偏光板３３Ｌで遮断される。
【００６２】
上述した第２実施形態によれば、前記第１実施形態と同様の効果の他、以下の効果がある。
本実施形態では、右目用の円偏光変換部２５Ｒ、及び右目用の直線偏光変換部３２Ｒを利用して、右目用プロジェクター本体２０Ｒから投射された第１直線偏光Ｓを、円偏光に変換した後、再度、同一の第１直線偏光Ｓに変換して、右目用の偏光板３３Ｒを透過させるように構成されている。
このことにより、一部の波長域の光束に対して右目用の円偏光変換部２５Ｒで与えた位相差のずれ分を、右目用の直線偏光変換部３２Ｒで与えた位相差のずれ分にて相殺する構成とすることができる。すなわち、右目用プロジェクター本体２０Ｒから投射された第１直線偏光Ｓを、円偏光に変換した後、右目用の偏光板３３Ｒを透過できる第１直線偏光Ｓに良好に変換できる。
このため、右目用プロジェクター本体２０Ｒから投射された右目用画像のうち、一部の波長域の光束が右目用の偏光板３３Ｒで遮断されることを抑制でき、右目用画像を観察者の右目にて良好に視認させることができる。
なお、左目用プロジェクター本体２０Ｌから投射された左目用画像についても同様である。
したがって、投影画像をさらに良好に立体視させることができる。
【００６３】
[第３実施形態]
次に、本発明の第３実施形態を図面に基づいて説明する。
以下の説明では、前記第１実施形態と同様の構成及び同一部材には同一の符号を付して、その詳細な説明は省略または簡略化する。
図９は、第３実施形態におけるプロジェクションシステム１の構成を模式的に示すブロック図である。
本実施形態では、前記第１実施形態に対して、図９に示すように、各１／２波長板２５Ｒ１，２５Ｌ１を省略している。すなわち、右，左目用の円偏光変換部２５Ｒ，２５Ｌを狭帯域位相差板（各１／４波長板２５Ｒ２，２５Ｌ２）でそれぞれ構成している。なお、偏光眼鏡３における右，左目用の直線偏光変換部３２Ｒ，３２Ｌも同様である。また、本実施形態では、各１／２波長板２５Ｒ１，２５Ｌ１，３２２Ｒ，３２２Ｌの省略に伴い、各１／４波長板２５Ｒ２，２５Ｌ２，３２１Ｒ，３２１Ｌの遅相軸の角度を変更している。
その他の構成は、前記第１実施形態と同様である。
そして、本実施形態では、各１／４波長板２５Ｒ２，２５Ｌ２，３２１Ｒ，３２１Ｌの遅相軸の角度は、以下の表３に示すように設定されている。
【００６４】
〔表３〕
2013122476.tif 000005
【００６５】
なお、本実施形態でも前記第１実施形態と同様に、右目用プロジェクター２Ｒにおける１／４波長板２５Ｒ２の遅相軸は、表３に示すように、左目用透過部３１Ｌにおける１／４波長板３２１Ｌの遅相軸に対して直交するように設定されている。
すなわち、１／４波長板２５Ｒ２は、１／４波長板３２１Ｌと同じものを、光軸を中心として９０度回転させた構成である。
左目用プロジェクター２Ｌにおける１／４波長板２５Ｌ２と右目用透過部３１Ｒにおける１／４波長板３２１Ｒとの関係も同様である。
【００６６】
そして、右，左目用プロジェクター２Ｒ，２Ｌと右，左目用透過部３１Ｒ，３１Ｌとの間で、透過軸及び遅相軸の関係が表３に示すように設定されているため、右，左目用プロジェクター本体２０Ｒ，２０Ｌから投射された各色光Ｒ，Ｇ，Ｂは、以下に示すように進行する。
右目用プロジェクター本体２０Ｒから投射された各色光Ｒ，Ｇ，Ｂ（第１直線偏光Ｓ）は、１／４波長板２５Ｒ２により第１の円偏光に変換されるとともに、スクリーンＳｃで反射されることで第２の円偏光に変換される。
第２の円偏光に変換された各色光Ｒ，Ｇ，Ｂは、左目用透過部３１Ｌに入射した際、１／４波長板３２１Ｌにて第１直線偏光Ｓに変換され、左目用の偏光板３３Ｌで遮断される。
また、第２の円偏光に変換された各色光Ｒ，Ｇ，Ｂは、右目用透過部３１Ｒに入射した際、１／４波長板３２１Ｒにて第２直線偏光Ｐに変換され、右目用の偏光板３３Ｒを透過する。
【００６７】
一方、左目用プロジェクター本体２０Ｌから投射された各色光Ｒ，Ｇ，Ｂ（第１直線偏光Ｓ）は、１／４波長板２５Ｌ２により第２の円偏光に変換されるとともに、スクリーンＳｃで反射されることで第１の円偏光に変換される。
第１の円偏光に変換された各色光Ｒ，Ｇ，Ｂは、右目用透過部３１Ｒに入射した際、１／４波長板３２１Ｒにて第１直線偏光Ｓに変換され、左目用の偏光板３３Ｌで遮断される。
また、第１の円偏光に変換された各色光Ｒ，Ｇ，Ｂは、左目用透過部３１Ｌに入射した際、１／４波長板３２１Ｌにて第２直線偏光Ｐに変換され、左目用の偏光板３３Ｌを透過する。
【００６８】
そして、上述した第３実施形態のように右，左目用の円偏光変換部２５Ｒ，２５Ｌ、及び右，左目用の直線偏光変換部３２Ｒ，３２Ｌを狭帯域位相差板でそれぞれ構成しても、前記第１実施形態と同様の効果を享受でき、プロジェクションシステム１を簡素化できる。
【００６９】
[第４実施形態]
次に、本発明の第４実施形態を説明する。
以下の説明では、前記第２実施形態と同様の構成及び同一部材には同一の符号を付して、その詳細な説明は省略または簡略化する。
本実施形態では、前記第２実施形態に対して、前記第３実施形態と同様に、各１／２波長板２５Ｒ１，２５Ｌ１，３２２Ｒ，３２２Ｌを省略している。また、本実施形態では、各１／２波長板２５Ｒ１，２５Ｌ１，３２２Ｒ，３２２Ｌの省略に伴い、各１／４波長板２５Ｒ２，２５Ｌ２，３２１Ｒ，３２１Ｌの遅相軸の角度を変更している。
その他の構成は、前記第２実施形態と同様である。
そして、本実施形態は、各１／４波長板２５Ｒ２，２５Ｌ２，３２１Ｒ，３２１Ｌの遅相軸の角度は、以下の表４に示すように設定されている。
なお、本実施形態では、右目用プロジェクター２Ｒ（補助偏光板２４Ｒ及び１／４波長板２５Ｒ２）及び左目用透過部３１Ｌの透過軸及び遅相軸の角度は、以下の表４に示すように、前記第３実施形態と同様に設定されている。
【００７０】
〔表４〕
2013122476.tif 000006
【００７１】
本実施形態でも第２，第３実施形態と同様に、左目用プロジェクター２Ｌにおける１／４波長板２５Ｌ２の遅相軸は、表４に示すように、右目用透過部３１Ｒにおける１／４波長板３２１Ｒの遅相軸に対して直交するように設定されている。
【００７２】
そして、右，左目用プロジェクター２Ｒ，２Ｌと右，左目用透過部３１Ｒ，３１Ｌとの間で、透過軸及び遅相軸の関係が表４に示すように設定されているため、右，左目用プロジェクター本体２０Ｒ，２０Ｌから投射された各色光Ｒ，Ｇ，Ｂは、以下に示すように進行する。
左目用プロジェクター本体２０Ｌから投射された各色光Ｒ，Ｇ，Ｂ（第２直線偏光Ｐ）は、１／４波長板２５Ｌ２により第２の円偏光に変換されるとともに、スクリーンＳｃで反射されることで第１の円偏光に変換される。
第１の円偏光に変換された各色光Ｒ，Ｇ，Ｂは、右目用透過部３１Ｒに入射した際、１／４波長板３２１Ｒにて第２直線偏光Ｐに変換され、右目用の偏光板３３Ｒで遮断される。
また、第１の円偏光に変換された各色光Ｒ，Ｇ，Ｂは、左目用透過部３１Ｌに入射した際、１／４波長板３２１Ｌにて第２直線偏光Ｐに変換され、左目用の偏光板３３Ｌを透過する。
【００７３】
一方、右目用プロジェクター本体２０Ｒから投射された各色光Ｒ，Ｇ，Ｂ（第１直線偏光Ｓ）は、前記第３実施形態と同様に、右目用の補助偏光板２４Ｒ、１／４波長板２５Ｒ２、及びスクリーンＳｃを介して、第２の円偏光に変換される。
そして、第２の円偏光に変換された各色光Ｒ，Ｇ，Ｂは、右目用透過部３１Ｒに入射した際、１／４波長板３２１Ｒにて第１直線偏光Ｓに変換され、右目用の偏光板３３Ｒを透過する。
なお、右目用プロジェクター本体２０Ｒから投射され、左目用透過部３１Ｌに入射した第２の円偏光の各色光Ｒ，Ｇ，Ｂについては、前記第３実施形態と同様に偏光状態が変換され、左目用の偏光板３３Ｌで遮断される。
【００７４】
そして、上述した第４実施形態のように右，左目用の円偏光変換部２５Ｒ，２５Ｌ、及び右，左目用の直線偏光変換部３２Ｒ，３２Ｌを狭帯域位相差板でそれぞれ構成しても、前記第２実施形態と同様の効果を享受でき、プロジェクションシステム１を簡素化できる。
【００７５】
なお、本発明は前述の実施形態に限定されるものではなく、本発明の目的を達成できる範囲での変形、改良等は本発明に含まれるものである。
前記各実施形態では、プロジェクションシステム１は、第１画像及び第２画像をそれぞれ左目用画像及び右目用画像として投影画像を観察者に立体視させる構成としていたが、これに限らない。例えば、プロジェクションシステムとして、第１画像及び第２画像をコンテンツの異なる画像とし、２つの投影画像（第１画像及び第２画像）を異なる観察者にそれぞれ視認させる構成を採用しても構わない。
このように構成した場合には、偏光眼鏡３としては、左目用透過部３１Ｌのみ（左目用透過部３１Ｌの数は単体でも複数でも可）を有する偏光眼鏡、及び右目用透過部３１Ｒのみ（右目用透過部３１Ｒの数は単体でも複数でも可）を有する偏光眼鏡の２種類を設ければよい。
【００７６】
前記第１，第２実施形態において、右，左目用プロジェクター２Ｒ，２Ｌ（補助偏光板２４Ｒ，２４Ｌ、及び円偏光変換部２５Ｒ，２５Ｌ）、及び右，左目用透過部３１Ｒ，３１Ｌの透過軸及び遅相軸の角度は、前記第１，第２実施形態で説明した角度に限らない。
例えば、当該角度を以下の表５に示す（Ａ）〜（Ｆ）のように設定しても構わない。
また、前記第３，第４実施形態においても同様に、当該角度を以下の表６に示す（Ａ）〜（Ｆ）のように設定しても構わない。
【００７７】
〔表５〕
2013122476.tif 000007
【００７８】
〔表６〕
2013122476.tif 000008
【産業上の利用可能性】
【００７９】
本発明は、プロジェクターや偏光眼鏡等を用いて投影画像を立体視させるプロジェクションシステムに利用できる。
【符号の説明】
【００８０】
１・・・プロジェクションシステム、２Ｒ・・・右目用プロジェクター（第１プロジェクター）、２Ｌ・・・左目用プロジェクター（第２プロジェクター）、３・・・偏光眼鏡（画像選択装置）、２５・・・偏光変換装置、２５Ｒ・・・右目用の円偏光変換部（第１円偏光変換部）、２５Ｒ１，２５Ｌ１，３２２Ｒ，３２２Ｌ・・・１／２波長板、２５Ｒ２，２５Ｌ２，３２１Ｒ，３２１Ｌ・・・１／４波長板、２５Ｌ・・・左目用の円偏光変換部（第２円偏光変換部）、３１Ｒ・・・右目用透過部（第１画像透過部）、３１Ｌ・・・左目用透過部（第２画像透過部）、３２Ｒ・・・右目用の直線偏光変換部（第１直線偏光変換部）、３２Ｌ・・・左目用の直線偏光変換部（第２直線偏光変換部）、３３Ｒ・・・右目用の偏光板（第１偏光板）、３３Ｌ・・左目用の偏光板（第２偏光板）、Ｓｃ・・・スクリーン。
【図１】
2013122476.tif 000009
【図２】
2013122476.tif 000010
【図３】
2013122476.tif 000011
【図４】
2013122476.tif 000012
【図５】
2013122476.tif 000013
【図６】
2013122476.tif 000014
【図７】
2013122476.tif 000015
【図８】
2013122476.tif 000016
【図９】
2013122476.tif 000017
【図１０】
2013122476.tif 000018